(57)【要約】      （修正有）【課題】パッキンの経年劣化による機密性能の低下を低減した時計を提供する。【解決手段】時計は、風防１２が露出されるフロントケース１１ａと、バックケース１１ｂと、を備えるケース本体１１を備える。前板２０は、ケース本体１１の内部に設けられ、前面に風防１２が設けられる。前板２０の背面には、ムーブメント３０が設けられる。ムーブメント３０の外周には、環状壁２３が形成される。そして、前板２０の背面側には、ムーブメント３０と環状壁２３を覆うキャップ状のカバーパッキン４０が設けられる。【選択図】図５
2020118582.tif 000002
【特許請求の範囲】
【請求項１】
風防が露出されるフロントケースと、バックケースと、を備えるケース本体と、
前記ケース本体の内部に設けられ、前面に前記風防が設けられ、背面にムーブメントが設けられ、該ムーブメントの外周に環状壁が形成される前板と、
前記環状壁を覆うキャップ状のカバーパッキンと、
を有することを特徴とする時計。
【請求項２】
前記カバーパッキンは、該カバーパッキンの開口部外周に形成されて前記環状壁の外側に位置するスカート部と、該スカート部から内寸が縮小するよう形成されて前記環状壁の端部に位置する環状段部と、を備え、
前記バックケースの内面には、前記環状段部に突き当て可能に形成される環状リブが形成されることを特徴とする請求項１に記載の時計。
【請求項３】
前記ムーブメントの高さは、前記環状壁の端部よりも高いことを特徴とする請求項１又は請求項２に記載の時計。
【発明の詳細な説明】
【技術分野】
【０００１】
本発明は、内部の気密性を高めた時計に関する。
【背景技術】
【０００２】
従来から、風呂場等における使用を想定して、ムーブメント等の精密な部位の気密性を高めた時計が提案されている。例えば、特許文献１には、前板と裏蓋とで挟持されるリング状の中板を備えて、この中板と風防ガラスとの間、及び、中板とバックケースとの間にリング状の防水パッキンを設けて気密性を高めた時計が開示されている。
【先行技術文献】
【特許文献】
【０００３】
【特許文献１】特開２０１２−２３７６４８号公報
【発明の概要】
【発明が解決しようとする課題】
【０００４】
パッキンは、通常、ゴム材料により形成される。このようなパッキンは、経年劣化し、気密性能が低下することがある。特に、高温・多湿の環境下においては、パッキンの経年劣化が早まることがある。そして、特許文献１に開示される時計のパッキンは、風防ガラスやバックケースに直接接して保持されるため、高温・多湿の環境下の使用時に温度上昇した風防ガラスやバックケースの熱がパッキンに伝わりやすく、従ってパッキンの劣化が早まる懸念があった。
【０００５】
本発明は、以上の点に鑑み、パッキンの経年劣化による機密性能の低下を低減した時計を提供することを目的とする。
【課題を解決するための手段】
【０００６】
本発明の時計は、風防が露出されるフロントケースと、バックケースと、を備えるケース本体と、前記ケース本体の内部に設けられ、前面に前記風防が設けられ、背面にムーブメントが設けられ、該ムーブメントの外周に環状壁が形成される前板と、前記環状壁を覆うキャップ状のカバーパッキンと、を有することを特徴とする。
【発明の効果】
【０００７】
本発明によれば、パッキンの経年劣化による機密性能の低下を低減した時計を提供することができる。
【図面の簡単な説明】
【０００８】
【図１】本発明の実施形態に係る時計の斜視図である。
【図２】本発明の実施形態に係る時計を背面側から見た分解斜視図である。
【図３】本発明の実施形態に係る時計のカバーパッキンを内面側から見た斜視図である。
【図４】本発明の実施形態に係るバックケースを内面側から見た斜視図である。
【図５】本発明の実施形態に係る時計の図１のＶ−Ｖ断面図である。
【図６】本発明の実施形態に係る時計の図１のＶＩ−ＶＩ断面図である。
【発明を実施するための形態】
【０００９】
次に、図に基づいて、本発明の実施形態を説明する。図1に示す時計１０は、丸型に形成される。時計１０は、外装体であるケース本体１１を備える。ケース本体１１は、フロントケース１１ａとバックケース１１ｂを備える。フロントケース１１ａは、風防１２が露出されるよう略環状に形成される。バックケース１１ｂは、フロントケース１１ａの背面側に設けられる。
【００１０】
バックケース１１ｂは、背面側を閉塞するようシェル状に形成される。図２に示すように、バックケース１１ｂには、吊り下げ用のフック１１ｂ１が背面側に収納される。フック１１ｂ１は、基端部に回動自在の支持軸が形成される。フック１１ｂ１は、使用しないときにはバックケース１１ｂの背面に収納され、使用時にはフック１１ｂ１をバックケース１１ｂの収納部から起すようにして回動して使用することができる。
【００１１】
また、フロントケース１１ａの外周であって、バックケース１１ｂのフック１１ｂ１の基端部の回動支持軸と反対側には、係止フック１５が設けられる（図１，２参照）。係止フック１５は、図５に示すように、小片の略板状に形成されて、一方の平面がフロントケース１１ａの外周壁に対向するよう設けられる。
【００１２】
具体的には、係止フック１５は、図５の側面視において略中央で内径側に折れ曲がるように形成される。係止フック１５は、ケース１１に向かって突出する係止部１５ａが形成される。係止部１５ａは、係止フック１５の幅方向を長手方向として形成される（図２も参照）。一方、バックケース１１ｂには、係止フック１５に対応する位置に係止部１５ａと係止する被係止部１１ｂ２が形成される。係止フック１５の係止部１５ａが被係止部１１ｂ２に係止することにより、フロントケース１１ａとバックケース１１ｂが互いに組付けられる。
【００１３】
ケース１１の内部には、前板２０が設けられる。前板２０の前面には、円環状壁部２１が形成される。円環状壁部２１の内側には、後述のムーブメント３０と接続される指針３１と、文字盤１６が配置される。円環状壁２１の外周における前板２０には、円環状のＯリング溝２２が形成されて、このＯリング溝２２にＯリング１８が設けられる。
【００１４】
一方、風防１２は、円環状の縁壁を有する皿状に形成されており、その縁壁の開口側には円環状突起１２ａが形成される。図６に示すように、風防１２は、複数のねじ３により前板２０に取り付けられる（図２も参照）。円環状突起１２ａは、Ｏリング溝２２に対応して形成される。従って、風防１２をねじ３により前板２０へ取り付けることにより、円環状突起１２ａは、Ｏリング溝２２を押し付けて、前板２０の前面と風防１２の内側で形成される空間が気密にされる。
【００１５】
前板２０の背面側にはムーブメント３０が設けられる。図２，５，６に示すように、本実施形態においては、ムーブメント３０は、略直方体状に形成される。ムーブメント３０の外周側における前板２０には、環状壁２３がムーブメント３０を囲むよう連続して形成される。なお、ムーブメント３０の高さは、環状壁２３の端部２３ａよりも高く形成される。従って、後述のカバーパッキン４０の内面とムーブメント３０の上面とを近接又は接触させることができるので、カバーパッキン４０の内面とムーブメント３０の上面との間の空間が熱膨張してカバーパッキン４０を膨張させてしまうことを低減することができる。
【００１６】
前板２０の背面側であって、さらにムーブメント３０の背面側には、環状壁２３を覆うキャップ状のカバーパッキン４０が設けられる。図２，３にも示すように、カバーパッキン４０は、ムーブメント３０や環状壁２３に倣って略矩形に形成される。カバーパッキン４０は、軟質のエラストマーやＮＢＲ等のゴム材料により形成される。
【００１７】
カバーパッキン４０の開口部外周には壁状のスカート部４１が環状に形成される。カバーパッキン４０の前板２０への取付時において、スカート部４１は、前板２０の環状壁２３の外側に位置される。そして、スカート部４１には、スカート部４１の内寸（換言すれば、スカート部４１の内側領域）を縮小するように段部４２が形成される。そして、段部４２からカバーパッキン４０の底部である平板面部４３に向けて、平板面部４３と段部４２とを接続する壁状の接続部４４が環状に形成される。平板面部４３には、ムーブメント３０の上面から突出する円柱状部３０ａに対応して、カバーパッキン４０の内部で凹状に形成される円柱状凹部４３ａが形成される。
【００１８】
また、図４に示すように、バックケース１１ｂの内面には、環状リブ１１ｂ３が形成される。環状リブ１１ｂ３は、カバーパッキン４０の段部４２に突き当て可能に形成される。すなわち、図５，６における断面視では、カバーパッキン４０の段部４２は、環状リブ１１ｂ３と環状壁２３で挟持される。環状リブ１１ｂ３と環状壁２３によりカバーパッキン４０の段部４２が挟持される部分（挟持部４５）は、ムーブメント３０周りに環状に形成される。
【００１９】
このようにして、カバーパッキン４０の段部４２を挟み込む挟持部４５がムーブメント３０周りに形成されることで、カバーパッキン４０の内側が気密となる。従って、風呂場等での使用においてフロントケース１１ａとバックケース１１ｂとの接合部分から水が入っても、カバーパッキン４０の挟持部４５により、カバーパッキン４０の内部に水が浸入することは無い。そして、カバーパッキン４０は、ケース１１の内部に収納されるので、カバーパッキン４０に直接熱が伝わることが無いので、カバーパッキン４０の劣化の早さを低減することができる。
【００２０】
また、Ｏリング等のパッキンを用いた従来の時計では、組立時においてＯリング溝への嵌め込みが煩雑であり、捩れ等の組立不良が発生する場合があるのに比べて、カバーパッキン４０は、ムーブメント３０に対して被せるだけで組立ができるので、組立性が向上する。
【００２１】
以上、本発明の実施形態を説明したが、本発明は本実施形態によって限定されることは無く、種々の変更を加えて実施することができる。例えば、本実施形態においては、挟持部４５が連続して形成されるように、環状リブ１１ｂ３も連続して形成されるが、カバーパッキン４０内部がある程度気密に保たれる程度においては、環状リブ１１ｂ３に間欠する切欠きを設けることもできる。
【符号の説明】
【００２２】
３        ねじ                    １０      時計
１１      ケース                  １１      ケース本体
１１ａ    フロントケース          １１ｂ    バックケース
１１ｂ１  フック                  １１ｂ２  被係止部
１１ｂ３  環状リブ                １２      風防
１２ａ    円環状突起              １５      係止フック
１５ａ    係止部                  １６      文字盤
１８      Ｏリング                ２０      前板
２１      円環状壁                ２１      円環状壁部
２２      Ｏリング溝              ２３      環状壁
２３ａ    端部                    ３０      ムーブメント
３０ａ    円柱状部                ３１      指針
４０      カバーパッキン          ４１      スカート部
４２      段部                    ４３      平板面部
４３ａ    円柱状凹部              ４４      接続部
４５      挟持部
【図１】
2020118582.tif 000003
【図２】
2020118582.tif 000004
【図３】
2020118582.tif 000005
【図４】
2020118582.tif 000006
【図５】
2020118582.tif 000007
【図６】
2020118582.tif 000008